(57)【特許請求の範囲】
【請求項１】
所定のユーザグループを対象にした集計内容についてのテーマが複数ある場合にテーマ毎に対応付けられたテーマタイトルが概略情報としてリスト表示されるリスト画面を表示させる表示手段と、
当該テーマに対応させた複数の調整項目に対して互いに共通な複数の共通選択肢が用意された当該複数の調整項目に対する所定の電子機器を介した前記ユーザグループにおける各メンバーからの入力情報として前記共通選択肢の選択結果を、前記テーマ毎に取得する取得手段と、
前記取得手段により取得した前記テーマ毎の選択結果に基づいて前記共通選択肢毎の選択数を前記テーマ毎及び前記調整項目毎に集計する集計手段と、
を備え、
前記表示手段は、前記リスト画面を表示させる際に、前記集計手段により前記テーマ毎及び前記調整項目毎に集計された前記共通選択肢毎の選択数を、当該テーマに対応するように前記複数の調整項目と前記複数の共通選択肢とがマトリックス配列された配列交点の対応する位置に、前記テーマ毎に配置して一覧表示させる、
ことを特徴とする情報処理装置。
【請求項２】
前記複数の調整項目は、複数のメンバーが参加する会合についての互いに日時の異なる複数の開催候補日時であり、前記複数の共通選択肢は、前記複数の開催候補日時のそれぞれに対しての参加の有無を選択するための選択肢である、
ことを特徴とする請求項１に記載の情報処理装置。
【請求項３】
前記表示手段は、前記リスト画面でリスト表示されている所定のテーマタイトルが選択された場合に、当該テーマタイトルに対応する集計内容についての詳細情報を、前記各調整項目に対して前記各メンバーが選択した前記共通選択肢に対する選択結果が一覧表示される詳細画面として、前記リスト画面に代えて表示させる、
ことを特徴とする請求項１又は２に記載の情報処理装置。
【請求項４】
コンピュータを、
所定のユーザグループを対象にした集計内容についてのテーマが複数ある場合にテーマ毎に対応付けられたテーマタイトルが概略情報としてリスト表示されるリスト画面を表示させる表示手段、
当該テーマに対応させた複数の調整項目に対して互いに共通な複数の共通選択肢が用意された当該複数の調整項目に対する所定の電子機器を介した前記ユーザグループにおける各メンバーからの入力情報として前記共通選択肢の選択結果を、前記テーマ毎に取得する取得手段、
前記取得手段により取得した前記テーマ毎の選択結果に基づいて前記共通選択肢毎の選択数を前記テーマ毎及び前記調整項目毎に集計する集計手段、
として機能させ、
前記表示手段は、前記リスト画面を表示させる際に、前記集計手段により前記テーマ毎及び前記調整項目毎に集計された前記共通選択肢毎の選択数を、当該テーマに対応するように前記複数の調整項目と前記複数の共通選択肢とがマトリックス配列された配列交点の対応する位置に、前記テーマ毎に配置して一覧表示させる、
ことを特徴とするプログラム。
【発明の詳細な説明】
【技術分野】
【０００１】
本発明は、情報処理装置、電子機器及びプログラムに関する。
【背景技術】
【０００２】
近年では、インターネットや公衆無線通信などの発展に伴い、ネットワークを介して接続された複数の電子機器（ユーザ端末）から受信されるデータをもとにスケジュール管理するスケジュール管理装置が知られている（例えば、特許文献１参照）。このスケジュール管理装置は、ユーザ端末から個別に予定の登録を受けた後、招集者端末より、他のユーザたちの招集を希望する招集年月日及び招集時間と、招集を実施するために必要な最低招集値とを含む招集条件情報を受信する。また、スケジュール管理装置は、招集条件情報に基づき登録された予定の有無を判定して登録予定が無いユーザ数をカウントし、登録予定が無いユーザ数に基づいて招集可否の招集判定情報を生成して送信する。
【先行技術文献】
【特許文献】
【０００３】
【特許文献１】特開２００８−２１７７５９号公報
【発明の概要】
【発明が解決しようとする課題】
【０００４】
このように特許文献１に記載された従来技術では、複数のユーザ端末から受信されるデータをもとにスケジュール管理することで、グループを構成する全てのユーザの予定を考慮して日程調整をすることができる。しかしながら、複数のユーザ端末からスケジュール管理装置に対して、それぞれ個別に予定を登録するだけで日程調整されており、他のユーザの状況や調整過程などを各ユーザが把握することができなかった。
【０００５】
本発明は、各ユーザの選択状況を確認しながら調整することを可能とすることを目的とする。
【課題を解決するための手段】
【０００６】
本発明に係る情報処理装置は、所定のユーザグループを対象にした集計内容についてのテーマが複数ある場合にテーマ毎に対応付けられたテーマタイトルが概略情報としてリスト表示されるリスト画面を表示させる表示手段と、当該テーマに対応させた複数の調整項目に対して互いに共通な複数の共通選択肢が用意された当該複数の調整項目に対する所定の電子機器を介した前記ユーザグループにおける各メンバーからの入力情報として前記共通選択肢の選択結果を、前記テーマ毎に取得する取得手段と、前記取得手段により取得した前記テーマ毎の選択結果に基づいて前記共通選択肢毎の選択数を前記テーマ毎及び前記調整項目毎に集計する集計手段と、を備え、前記表示手段は、前記リスト画面を表示させる際に、前記集計手段により前記テーマ毎及び前記調整項目毎に集計された前記共通選択肢毎の選択数を、当該テーマに対応するように前記複数の調整項目と前記複数の共通選択肢とがマトリックス配列された配列交点の対応する位置に、前記テーマ毎に配置して一覧表示させる、ことを特徴とする。
また、本発明に係るプログラムは、コンピュータを、所定のユーザグループを対象にした集計内容についてのテーマが複数ある場合にテーマ毎に対応付けられたテーマタイトルが概略情報としてリスト表示されるリスト画面を表示させる表示手段、当該テーマに対応させた複数の調整項目に対して互いに共通な複数の共通選択肢が用意された当該複数の調整項目に対する所定の電子機器を介した前記ユーザグループにおける各メンバーからの入力情報として前記共通選択肢の選択結果を、前記テーマ毎に取得する取得手段、前記取得手段により取得した前記テーマ毎の選択結果に基づいて前記共通選択肢毎の選択数を前記テーマ毎及び前記調整項目毎に集計する集計手段、として機能させ、前記表示手段は、前記リスト画面を表示させる際に、前記集計手段により前記テーマ毎及び前記調整項目毎に集計された前記共通選択肢毎の選択数を、当該テーマに対応するように前記複数の調整項目と前記複数の共通選択肢とがマトリックス配列された配列交点の対応する位置に、前記テーマ毎に配置して一覧表示させる、ことを特徴とする。
【発明の効果】
【０００７】
本発明によれば、各ユーザの選択状況を確認しながら調整することが可能となる。
【図面の簡単な説明】
【０００８】
【図１】本実施形態におけるシステムの概略構成を示す図。
【図２】本実施形態におけるサーバ装置を示すブロック図。
【図３】本実施形態における電子機器の構成を示すブロック図。
【図４】本実施形態におけるサーバ装置の検索サイトのホームページ例を示す図。
【図５】本実施形態におけるサーバ装置による検索処理について示すフローチャート。
【図６】本実施形態におけるサーバ装置による検索処理について示すフローチャート。
【図７】本実施形態におけるログイン後のホームページの一部（条件検索メニュー）を示す図。
【図８】本実施形態における地域資源情報の一覧画面の一例を示す図。
【図９】本実施形態における詳細検索条件指定画面の一例を示す図。
【図１０】本実施形態における詳細検索条件指定画面の一例を示す図。
【図１１】本実施形態における条件クリアボタン及び検索ボタンの表示例を示す図。
【図１２】本実施形態における地域資源情報の詳細画面の一例を示す図。
【図１３】本実施形態における対象者毎に地域資源情報を対応づけて登録する処理を説明するためのフローチャート。
【図１４】本実施形態におけるクリップされた地域資源情報を表示するための処理を説明するためのフローチャート。
【図１５】本実施形態における地域資源情報の登録先を示す登録先一覧の表示例を示す図。
【図１６】本実施形態における対象者と登録された地域資源情報（クリップデータ）との関係を示す図。
【図１７】本実施形態におけるマイページ画像の一例を示す図。
【図１８】本実施形態におけるマイページ詳細画面の一例を示す図。
【図１９】本実施形態における「グループ管理」の機能について示すフローチャート。
【図２０】本実施形態におけるグループステータス一覧画面の一例を示す図。
【図２１】本実施形態におけるグループツールの「掲示板」の機能について示すフローチャート。
【図２２】本実施形態におけるグループツールの「掲示板」の機能について示すフローチャート。
【図２３】本実施形態における掲示板新規作成画面の一例を示す図。
【図２４】本実施形態における掲示板詳細画面の一例を示す図。
【図２５】本実施形態における未読のメンバーの名前一覧の表示例を示す図。
【図２６】本実施形態における掲示板一覧表示画面の一例を示す図。
【図２７】本実施形態におけるグループツールの「会合調整＆選択確認」の機能について示すフローチャート。
【図２８】本実施形態におけるグループツールの「会合調整＆選択確認」の機能について示すフローチャート。
【図２９】本実施形態における会合選択新規作成画面の一例を示す図。
【図３０】本実施形態における会合選択詳細画面の一例を示す図。
【図３１】本実施形態における会合調整＆選択確認一覧表示画面の一例を示す図。
【図３２】本実施形態における会合選択一覧表示画面の一例を示す図。
【図３３】本実施形態における会合選択詳細画面の表示例を示す図。
【発明を実施するための形態】
【０００９】
以下、図面を参照して本発明の実施の形態について説明する。  
図１は、本実施形態におけるシステムの概略構成を示す図である。図１に示すように、本実施形態におけるシステムは、複数の情報処理装置がネットワーク１６を介して接続されることにより構成される。本実施形態における情報処理装置には、例えば、サーバ装置１０、複数のサーバ装置１２（１２−１，１２−２，…，１２−Ｎ）、複数の電子機器１４（１４−１，１４−２，…，１４−ｎ）が含まれる。
【００１０】
サーバ装置１０は、ネットワーク１６を介して接続された電子機器１４に対して情報検索サービスを提供するためのＷｅｂサイトを開設する。本実施形態におけるサーバ装置１０は、例えば地域における介護関連の情報を提供する検索サイトを開設する。検索サイトには、例えば、各地域において介護に関わる利用者をサポートするためのサービス提供元の情報（以下、地域資源情報と称する場合がある）や介護に関係する記事コンテンツやセミナーで発表された情報を提供する機能、利用者間でのコミュニケーション（掲示板やスケジュール調整／アンケートなど）をサポートするための機能などが設けられる。ここで、サービス提供元としては、民間事業者や公共機関などを含む。また、利用者としては、例えばケアマネージャ、ケアワーカー、ソーシャルワーカー、介護従事者、介護事業管理者（サービス事業者）、介護家族、要介護者、自治体関係者、団体関係者（ＮＰＯ、ボランティア）、医師、看護師、薬剤師、リハビリテーション、管理栄養士などを含む。
【００１１】
サービス提供元の情報は、例えば「健康・生きがい」、「家事援助・付き添い・介助」、「介護者・認知症サポート」、「緊急通報・見守り・防災」、「配食・配送」、「移送・福祉用具」、「支給・助成金」、「相談窓口・その他」などの複数のカテゴリ別に分類されており、さらに行政区分などに基づく地域別に分類されている。
【００１２】
複数のサーバ装置１２（１２−１，１２−２，…，１２−Ｎ）は、各サービス提供元のホームページなどを開設する。サーバ装置１２が開設するホームページには、サーバ装置１０の検索サイトにより検索されたサービス提供元の情報（地域資源情報）に含まれる、ホームページのＵＲＬ（uniform resource locator）とリンクが設定されている。従って、サーバ装置１０の検索サイトの検索結果からＵＲＬを指定することで、サーバ装置１２が開設するホームページにアクセスすることができる。
【００１３】
電子機器１４は、利用者が使用するもので、ネットワーク１６を介して、サーバ装置１０が開設する検索サイトや、サーバ装置１２が開設するサービス提供元のホームページなどにアクセスしてデータを送受信する。また、電子機器１４は、他の電子機器１４との間でデータを送受信する。電子機器１４は、例えばパーソナルコンピュータ、タブレット型コンピュータ、スマートフォン、携帯電話機、通信機能付きテレビ、カーナビゲーション装置、家庭用ゲーム装置などにより実現される。  
ネットワーク１６は、インターネット、公衆回線網（有線、無線）などの各種通信手段を含む。
【００１４】
図２は、本実施形態におけるサーバ装置１０を示すブロック図である。図２に示すように、サーバ装置１０は、プロセッサ２０、メモリ２１、記憶装置２２、入力装置２３、表示装置２４、及び通信装置２５とを含む。
【００１５】
プロセッサ２０は、サーバ装置１０全体の制御を司るもので、メモリ２１あるいは記録部２２に記録された基本プログラムや各種アプリケーションプログラムを実行することで各部を制御するための回路である。プロセッサ２０は、検索サイトプログラムを実行することにより、検索サイトを通じて各種のサービスを提供するための処理を実行する。
【００１６】
メモリ２１は、基本プログラムや検索サイトプログラムを含む各種プログラム、各種データが記憶される。記憶装置２２は、検索サイトを通じて提供する地域資源情報が登録されたデータベースが記憶される。記憶装置２２のデータベースには、地域別及びカテゴリ別に分類された地域資源情報が登録される。
【００１７】
入力装置２３は、キーボードやポインティングデバイスなどであり、サーバ装置１０の管理者などによる操作に応じたデータを入力する。表示装置２４は、ＬＣＤ（Liquid Crystal Display）などであり、サーバ装置１０の処理に応じた情報を表示する。通信装置２５は、ネットワーク１６に接続し、サーバ装置１２や電子機器１４との通信を制御する。
【００１８】
図３は、本実施形態における電子機器１４の構成を示すブロック図である。図３に示すように、電子機器１４は、プロセッサ３０、メモリ３１、記憶装置３２、入力装置３３、表示装置３４、及び通信装置３５とを含む。
【００１９】
プロセッサ３０は、電子機器１４全体の制御を司るもので、メモリ２１あるいは記録部２２に記録された基本プログラムや各種アプリケーションプログラムを実行することで各部を制御するための回路である。プロセッサ３０は、ブラウザプログラムを実行することにより、サーバ装置１０，１２が提供する検索サイト（ページ）の画面を表示し、画面を通じて入力されたデータをサーバ装置１０，１２に送信する。
【００２０】
メモリ３１は、基本プログラムやブラウザプログラムを含む各種プログラム、各種データが記憶される。記憶装置３２は、検索サイトを通じて受信された地域資源情報のデータなどが記憶される。
【００２１】
入力装置３３は、キーボードやポインティングデバイス（マウス、タッチパッド）などであり、電子機器１４の利用者などによる操作に応じたデータを入力する。表示装置３４は、ＬＣＤ（Liquid Crystal Display）などであり、電子機器１４の処理に応じた情報を表示する。通信装置３５は、ネットワーク１６に接続し、サーバ装置１２，１４や他の電子機器１４との通信を制御する。
【００２２】
次に、本実施形態におけるサーバ装置１０の動作について説明する。サーバ装置１０は、プロセッサ２０により検索サイトプログラムを実行することにより、以下に説明する各種処理を実現する。
【００２３】
まず、サーバ装置１０が開設する検索サイトの画面について説明する。サーバ装置１０は、電子機器１４により検索サイトのホームページにアクセスされると、検索サイトのホームページを電子機器１４において表示させる。
【００２４】
図４は、本実施形態におけるサーバ装置１０の検索サイトのホームページ例を示す図である。検索サイトは、サービス提供元（地域資源：民間事業者、公共機関）を検索するための地域資源検索サイトであって、条件を指定して地域資源情報候補を検索するための条件検索メニュー（キーワード検索、サービス種類（カテゴリ）検索、地域検索）と、利用者（ケアマネージャ等）指定の指定地域（事前登録）に絞り込んだ地域資源情報候補（地図表示、リスト表示）とを選択的に表示することができる。
【００２５】
図４に示すホームページ画面５０には、例えばログインボタン５０Ａ、第１メニュー５０Ｂ、新着の地域資源表示領域５０Ｃ、第２メニュー（メインメニュー）５０Ｄ、ログインボタン５０Ｅ、会員登録ボタン５０Ｆ、キーワード検索領域５０Ｇ、カテゴリ検索領域５０Ｈ、地域検索領域５０Ｊが設けられている。
【００２６】
ログインボタン５０Ａ及びログインボタン５０Ｅは、ログインの指示を入力するためのボタンである。ログインボタン５０Ａ及びログインボタン５０Ｅが、例えばマウスなどの入力装置３３の操作により選択（マウスのクリック）した場合には、会員ＩＤとパスワードを入力してログインを指示するためのログイン画面が表示される。
【００２７】
第１メニュー５０Ｂは、検索サイトが提供する機能を選択するためのもので、例えば「ホーム」「地域資源をさがす」「記事コンテンツ」「グループツール」「セミナー」「お問い合わせ」のメニュー項目が設けられている。第１メニュー５０Ｂは、何れの画面に遷移された場合でも常に表示されるメニューである。「ホーム」は、ホームページの表示を指示するためのメニュー項目、「地域資源をさがす」は、検索条件を入力するための詳細検索条件指定画面を表示させるためのメニュー項目である。「記事コンテンツ」「セミナー」は、それぞれに関する情報の表示を指示するためのメニュー項目である。「グループツール」は、複数の会員により構成されるグループら関する機能を指示するためのメニュー項目である。「グループツール」には、例えば「掲示板」「会合調整＆選択確認」「グループ管理」のサブメニューが設けられている（「グループ管理」は、ログイン後に表示）。「掲示板」「会合調整＆選択確認」「グループ管理」のサブメニューが指示された場合の処理の詳細については後述する。
【００２８】
新着の地域資源表示領域５０Ｃは、新着の地域資源を表示するための領域であり、一定時間ごと（サイクリック）に表示内容が変更される。新着の地域資源表示領域５０Ｃに表示される情報は、ログイン後には、会員が会員登録において指定した地域（登録地域）に該当する情報に限定される。
【００２９】
第２メニュー５０Ｄは、検索サイトが提供する機能を選択するためのもので、例えば「地域資源をさがす」「地域資源の活用法」「最近の介護事情」「知っておきたい介護」「掲示板」「会合調整＆選択確認」のメニュー項目が設けられている。  
会員登録ボタン５０Ｆは、新規の会員登録を指示するためのボタンである。会員登録ボタン５０Ｆを指示した場合には会員登録用の画面が表示される。
【００３０】
本実施形態における検索サイトのホームページでは、地域資源情報を検索するための条件を入力するための３種類の異なる条件検索メニュー、すなわちキーワード検索領域５０Ｇ、カテゴリ検索領域５０Ｈ、地域検索領域５０Ｊが設けられている。
【００３１】
キーワード検索領域５０Ｇでは、少なくとも１つのキーワードが入力されることで地域資源情報を検索する。例えば、キーワードとして、［港区、送迎、見守り］などの複数のキーワードを組み合わせて入力することができる。ログイン後は、登録地域の範囲内の地域資源情報が検索される。カテゴリ検索領域５０Ｈでは、例えば８つのカテゴリ「健康・生きがい」、「家事援助・付き添い・介助」、「介護者・認知症サポート」、「緊急通報・見守り・防災」、「配食・配送」、「移送・福祉用具」、「支給・助成金」、「相談窓口・その他」が一覧（リスト）表示されている。各カテゴリには、それぞれに含まれる地域資源情報の数が表示されている。ログイン後は、登録地域の範囲内の地域資源情報の数に更新される。カテゴリの一覧表示から何れかのカテゴリを選択した場合、カテゴリに含まれる地域資源情報が一覧表示される。
【００３２】
地域検索領域５０Ｊは、地域資源を地図から検索するために日本地図と地域名（例えば都道府県名）のリストが表示されている。地域検索領域５０Ｊでは、都道府県を選択することで、検索条件を指定するための画面が表示される。なお、地域検索領域５０Ｊは、ログイン後は、登録地域の範囲内の地図（地域資源マップ）に表示形態が変更される（詳細については後述する）。
【００３３】
このように、複数の異なる方法により地域資源情報を検索する条件を指定できるので、利用者は、状況に応じて条件の指定方法を任意に選択して必要とするサービス（地域資源情報）を容易に検索することができる。例えば、施設やサービスなどの名称をもとに検索する、サービスの種類を特定して検索する、自宅から近い場所に制限して検索するなどの方法を選択することができる。
【００３４】
次に、検索サイトを通じて会員登録する場合の処理について説明する。  
サーバ装置１０は、電子機器１４において表示されたホームページにおいて会員登録ボタン５０Ｆが選択された場合、利用者の基本情報を入力するための会員登録用の画面を電子機器１４において表示させる。会員登録用の画面には、例えば会員登録しようとする利用者の個人情報（氏名、性別、生年月日、職種）の他、登録する会員ＩＤ（例えば電子メールアドレス）やパスワードを入力するための入力欄が設けられている。また、会員登録用の画面では、利用者が希望する地域資源情報の検索対象とする地域を示す情報（場所情報）が入力される。地域としては、例えば、都道府県、市区町村の名前が入力されるものとする。通常、利用者がケアマネージャの場合には、担当する自治体の市区町村名が入力される。また、事業者の場合には事業所の住所、利用者家族の場合には利用者の住所が入力される。さらに、会員登録用の画面では、介護業界に従事している利用者については事業者に関する情報（事業者番号、事業者名など）、介護者家族の場合には、要介護者についての個人情報（氏名、性別、生年月日、要介護度など）を入力することができる。これらの情報は、地域資源情報の検索において、情報の絞り込みに利用することができる。
【００３５】
さらに、会員登録用の画面からは、検索サイトにより検索した地域資源情報を適用する対象者を登録することができる。例えば、利用者がケアマネージャの場合に、担当する介護者を対象者として登録しておくことができる。利用者は、対象者を登録しなくても良いし、１人以上の対象者を任意に登録することができる。予め登録した対象者に対しては、例えば後述するクリップ機能により、検索処理により検索された地域資源情報を対応づけて登録させておくことができる。
【００３６】
サーバ装置１０は、会員登録用の画面を通じて入力されたデータを、記憶装置２２に会員データとして記録する。利用者は、会員登録を完了した後、ホームページのログインボタン５０Ａを選択することで検索サイトの会員用サービスにログインすることができる。
【００３７】
次に、本実施形態のサーバ装置１０による検索処理について、図５及び図６に示すフローチャートを参照しながら説明する。  
サーバ装置１０は、電子機器１４によりアクセスされると、図４に示すホームページを表示させ（ステップＢ１）。サーバ装置１０は、ホームページのログインボタン５０Ａが電子機器１４の利用者の操作により選択され、ログイン要求が受信されるとログイン画面を電子機器１４において表示させる。このログイン画面において会員ＩＤとパスワードが入力され、会員登録された利用者であることが確認できると、サーバ装置１０は、電子機器１４の利用者からのログイン要求を受諾する（ステップＢ２、Ｙｅｓ）。サーバ装置１０は、ログインした利用者に応じて、ホームページの表示を変更するための処理をする（ステップＢ３〜Ｂ６）。
【００３８】
まず、サーバ装置１０は、ログイン要求した利用者が会員登録時に入力した基本情報を記憶装置２２から取得し、基本情報に含まれる場所情報をもとに、各カテゴリについて地域資源情報を絞り込む。すなわち、サーバ装置１０は、データベースに登録された全国の地域資源情報から場所情報に該当する地域の地域資源情報のみをカテゴリ毎に抽出する（以下、絞り込まれた地域資源情報を地域資源情報候補と称する）（ステップＢ４）。
【００３９】
また、サーバ装置１０は、利用者の場所情報をもとに抽出された地域資源情報候補に該当する位置を示すための地図情報を設定する。すなわち、サーバ装置１０は、利用者が基本情報として登録した場所情報が含まれる地図をホームページに表示することができる地図の縮尺を設定する（ステップＢ５）。なお、後述する詳細検索条件の設定において、場所情報が追加、あるいは複数の場所情報が選択された場合には、全ての場所情報が含まれる地図が表示されるように地図の縮尺を設定する。
【００４０】
サーバ装置１０は、ログイン前のカテゴリ検索領域５０Ｈに表示された各カテゴリに含まれる地域資源情報の件数を、場所情報に基づいて絞り込んだ地域資源情報候補の数に更新し、地域検索領域５０Ｊに代えて、地域資源情報候補に該当する位置を示す地図を含む地域資源マップ領域５０Ｋに変更したホームページを電子機器１４において表示させる（ステップＢ６）。すなわち、ログオン時に、利用者に応じて絞り込まれた地域資源情報候補に基づいて、カテゴリ検索領域５０Ｈと地域資源マップ領域５０Ｋを表示するため、その後の検索処理において絞り込まれた地域資源情報候補を対象とすることで、利用者が必要とする地域資源情報の検索を容易にすることができる。
【００４１】
図７は、本実施形態におけるログイン後のホームページの一部（条件検索メニュー）を示す図である。  
図７に示すように、カテゴリ検索領域５０Ｈでは、各カテゴリの地域資源情報の数を示す数字が更新されている。また、地域検索領域５０Ｊに代えて地域資源マップ領域５０Ｋが表示されている。地域資源マップ領域５０Ｋには、全ての地域資源情報に該当する位置（例えば、サービス提供する施設の住所）にピンマークが付された地図と、地図内でピンマークが付された各地域資源情報（例えば、施設名称）の一覧がピンマークと共に表示される。地図中に付されるピンマークは、例えば、カテゴリ毎に色分けして表示され、カテゴリ（サービスの種類）が容易に識別可能にしている。また、ピンマークは、後述するクリップ機能によりクリップ対象として指定された地域資源情報については、他の地域資源情報と異なる色が用いられるものとする。これにより、地域資源マップ領域５０Ｋから利用者が必要とする地域資源情報を容易に検索できるようにしている。
【００４２】
ここで、条件検索メニューのキーワード検索領域５０Ｇにおいて、キーワードとする文字が入力され、検索実行が指示されると（ステップＢ７、Ｙｅｓ）、サーバ装置１０は、場所情報をもとに絞り込まれた地域資源情報候補からキーワードに該当する地域資源情報を抽出して一覧表示させる（ステップＢ８）。地域資源情報の一覧表示の表示形態については後述する（図８参照）。
【００４３】
また、条件検索メニューのカテゴリ検索領域５０Ｈにおいて、何れかのカテゴリが選択された場合（ステップＢ９、Ｙｅｓ）、サーバ装置１０は、選択されたカテゴリに該当する地域資源情報を一覧表示させる（ステップＢ１０）。
【００４４】
図８は、本実施形態における地域資源情報の一覧画面５２の一例を示す図である。図８は、例えば図７に示すカテゴリ検索領域５０Ｈのカテゴリ「健康・生きがい」が選択された場合の詳細検索条件指定画面５２を示している。詳細検索条件指定画面５２では、カテゴリに含まれる各地域資源情報候補について、例えばサービスイメージ（アイコン、シンボル、マークなど）、サービス名、提供元（会社名、単体名、役所名など）、サービスの有料／無料の表示、クリップしたユーザ数、役に立った数のデータが対応づけられた情報リスト５２Ａが表示される。なお、クリップしたユーザ数と役に立った数は、後述する地域資源情報の詳細表示において（図１２参照）、他の会員が地域資源情報に対してクリップあるいは役に立った選択をした数を集計したものである。
【００４５】
また、地域資源情報の一覧画面５２には、表示方法を切り替える表示形態切換ボタン５２Ｂ、及び詳細検索条件の設定を指示するための検索条件再設定ボタン５２Ｃが設けられている。なお、各ボタン５２Ｂ，５２Ｃが選択された場合の処理については後述する。
【００４６】
また、条件検索メニューの地域資源マップ領域５０Ｋにおいて、地図あるいは一覧に対する操作がされた場合（ステップＢ１１、Ｙｅｓ）、サーバ装置１０は、操作に応じた処理を実行する。例えば、地図に対する操作としては、例えば、地図の拡大縮小の操作、拡大縮小された地図を最初に表示された地図に戻す表示リセット操作がある。サーバ装置１０は、拡大縮小の操作に応じて、地図の縮尺倍率を変更して表示すると共に、拡大縮小された地図に合わせて地域資源情報に対応するピンマークを表示する。
【００４７】
また、地図に表示されたピンマーク、あるいは一覧表示されたピンマークが選択された場合、サーバ装置１０は、ピンマークに対応する地域資源情報の一部、例えば地域資源情報に含まれる施設名、サービス種類（カテゴリ）、住所と共に、地域資源情報の詳細情報を表示させるためのリンクボタンをポップアップ表示させる。ポップアップ表示中のリンクボタンが選択された場合、サーバ装置１０は、後述する地域資源情報の詳細を表示する画面を表示させる（図１２参照）。
【００４８】
なお、ホームページには、詳細検索条件の設定を指示するための詳細検索ボタン５０Ｌが設けられている。サーバ装置１０は、詳細検索ボタン５０Ｌが選択された場合（ステップＢ１３、Ｙｅｓ）、詳細検索条件指定画面を表示させる（ステップＢ１４）。
【００４９】
図９及び図１０は、本実施形態における詳細検索条件指定画面５４の一例を示す図である。詳細検索条件指定画面５２には、場所情報を選択するための場所情報毎の場所情報チェックボックス５４Ａ、エリアの変更を指示するためのエリア変更ボタン５４Ｂ、キーワードを入力するためのキーワード検索領域５４Ｃ、カテゴリごとの詳細な選択肢ごとのカテゴリ詳細チェックボックス５４Ｄ、検索対象とする地域資源情報が登録された期間を指定するための期間指定ボタン５４Ｅ、サービスの有償／無償の条件を指定するための費用条件選択ボタン５４Ｆ、検索対象とする地域資源情報を提供する提供元を指定するための提供元指定ボタン５４Ｇが設けられている。また、地域資源情報の一覧画面５２の最下位置には、選択した条件（チェックボックスにチェックを入れた選択肢）を取り消すための条件クリアボタン５４Ｈ、検索の実行を指示するための検索ボタン５４Ｊが設けられている。
【００５０】
なお、詳細検索条件指定画面５４を表示する際、その時点で利用者により指定された条件が設定された状態で表示する。例えば、場所情報チェックボックス５４Ａでは、利用者が登録した場所情報（図９では「港区」）にチェックが入り、カテゴリ詳細チェックボックス５４Ｄのカテゴリ「健康・生きがい」にチェックが入っている。詳細検索条件指定画面５４では、先に設定済みの条件を取り消す（チェックを外す）、あるいは条件を追加／変更を任意にすることができる。また、エリア変更ボタン５４Ｂが選択された場合、サーバ装置１０は、図７に示す地域検索領域５０Ｊと同様の画面を表示させ、任意に地域（場所情報）を選択させることができる。
【００５１】
なお、詳細検索条件指定画面５４の全体が表示装置３４の画面中に表示できない場合、サーバ装置１０は、図１１に示すように、条件クリアボタン５４Ｈ及び検索ボタン５４Ｊが表示されない範囲を表示中には、条件クリアボタン５４Ｈ及び検索ボタン５４Ｊと同等の機能を有する条件クリアボタン５４Ｈａ及び検索ボタン５４Ｊａを、例えば画面の最下位置に一時的に表示させる。なお、画面の最下位置に限らず、画面中の予め決められた固定位置に表示されるようにすれば良い。
【００５２】
これにより、詳細検索条件指定画面５４をスクロールさせながら各種条件を指定する際に、条件クリアボタン５４Ｈ及び検索ボタン５４Ｊが表示されていない範囲の表示中であっても、条件クリアボタン５４Ｈａ及び検索ボタン５４Ｊａが表示されているため、条件クリアあるいは検索実行を指示する際にスクロールさせて条件クリアボタン５４Ｈ及び検索ボタン５４を表示させる操作をしなくて済む。よって、利用者により操作性の向上を図ることができる。
【００５３】
なお、詳細検索条件指定画面５４の条件クリアボタン５４Ｈと検索ボタン５４Ｊに限らず、他の画面の表示中においても、画面中に表示されないボタンがある場合に（例えば、図７に示す詳細検索ボタン５０Ｌ、図８に示す地域資源情報の一覧画面５２の検索条件再設定ボタン５２Ｃなど）、図１１に示すように、同等の機能を有するボタンを一時的に表示させることができる。これにより、何れの画面においても操作性の向上を図ることができる。
【００５４】
ここで、詳細検索条件指定画面５４において任意に条件指定が入力された後（ステップＢ１５）、検索ボタン５４Ｊ（検索ボタン５４Ｊａ）の操作により検索実行が指示されると（ステップＢ１６、Ｙｅｓ）、サーバ装置１０は、新たに設定された検索条件に該当する地域資源情報候補を再検索して、該当する地域資源情報候補を含む地域資源情報の一覧画面５２を表示させる（ステップＢ１７）。
【００５５】
また、地域資源情報の一覧画面５２が表示された状態において、表示形態切換ボタン５２Ｂの「マップ」が選択された場合（ステップＢ１８、Ｙｅｓ）、サーバ装置１０は、情報リスト５２Ａの表示に代えて、図７に示す地域資源マップ領域５０Ｋと同様のマップ表示に変更する（ステップＢ２１）。このマップ表示には、同様に表示形態切換ボタン５２Ｂが設けられており、「リスト」が選択された場合には（ステップＢ２２）、情報リスト５２Ａの表示に切り替える（ステップＢ１７）。すなわち、表示形態切換ボタン５２Ｂの操作により、情報リスト５２Ａとマップ表示を簡単に切り換えることができるので、利用者は地域資源情報を選択しやすい表示形態を任意に選択することができる。よって、必要とする地域資源情報の検索を容易にすることができる。
【００５６】
また、地域資源情報の一覧画面５２には、詳細検索条件の設定を指示するための検索条件再設定ボタン５２Ｃが設けられている。サーバ装置１０は、検索条件再設定ボタン５２Ｃが選択された場合（ステップＢ１９、Ｙｅｓ）、詳細検索条件指定画面を表示させる。なお、詳細検索条件指定画面は、前述した詳細検索ボタン５０Ｌが操作された場合に表示される画面と同じであるので詳細については後述する（ステップＢ１４〜Ｂ１６）。
【００５７】
また、地域資源情報の一覧画面５２において何れかの地域資源情報が選択された場合（ステップＢ２０、Ｙｅｓ）、サーバ装置１０は、選択された地域資源情報の詳細を表示する地域資源情報の詳細画面を表示させる（ステップＢ２３）。
【００５８】
図１２は、本実施形態における地域資源情報の詳細画面５５の一例を示す図である。地域資源情報の詳細画面５５には、例えば地域資源情報に含まれるサービス名称、サービス概要、サービス説明ＨＰ（ホームページアドレス）、対象エリア、サービス対象者、有償／無償、料金目安、申し込み方法、問い合わせ先情報（住所、電話番号、ＦＡＸ番号、電子メールアドレス）などを含む基本情報エリア５５Ａ、クリップボタン５５Ｂ、役に立ったボタン５５Ｃ、サービス提供元情報（名称、住所など）とサービス提供元ＨＰ（ホームページアドレス）とを含むサービス提供元情報エリア５５Ｄが設けられている。
【００５９】
地域資源情報の詳細画面５５に表示されたホームページアドレスを選択することで、電子機器１４のブラウザプログラムは、ホームページアドレスが示すホームページ、すなわち地域資源情報が示すサービス提供元のサイトのページを表示させる。このため、利用者は、地域資源情報の詳細画面５５を通じて、容易にサービス提供元が公開している詳細な情報を取得することができる。
【００６０】
こうして、地域資源情報の詳細画面５５では、条件指定により検索された地域資源情報の詳細を表示させることで、利用者は、地域資源情報の詳細な内容を確認することができる。ここで、利用者は、地域資源情報を確認した結果、例えば有用な情報であると判断した場合に、地域資源情報をクリップボタン５５Ｂの操作により登録して容易に読み出せるようにすることができる。サーバ装置１０は、クリップボタン５５Ｂが選択された場合（ステップＢ２５、Ｙｅｓ）、クリップ機能により、詳細表示中の地域資源情報を利用者と対応づけて登録する（ステップＢ２６）。また、役に立ったボタン５５Ｃが選択された場合（ステップＢ２７、Ｙｅｓ）、サーバ装置１０は、役に立った選択がされたことを示すデータを詳細表示中の地域資源情報と対応づけて登録する（ステップＢ２８）。
【００６１】
サーバ装置１０は、利用者と対応づけられた地域資源情報については、図７に示す地域資源マップ領域５０Ｋにおいて、クリップされたことを明示する他の地域資源情報とは異なる色のピンマークを表示させる。
【００６２】
また、サーバ装置１０は、各地域資源情報について、クリップボタン５５Ｂ及び役に立ったボタン５５Ｃが操作された数をカウントしており、そのカウント数を例えば図８に示す情報リスト５２Ａのクリップしたユーザ数、役に立った数にそれぞれ反映させたり、図１２に示す地域資源情報の詳細画面５５において表示させたりすることができる。これにより、他の利用者に対して、個々の地域資源情報についての評価状況を知らせることができる。すなわち、クリップボタン５５Ｂ及び役に立ったボタン５５Ｃの操作により、有用な情報であることを他の利用者に通知できるようにすることができる。
【００６３】
なお、前述した説明では、クリップボタン５５Ｂの操作により地域資源情報を利用者と対応づけて登録するとしているが、会員登録時に予め登録した対象者と対応づけて登録しておき、対象者毎に登録した地域資源情報を表示させることも可能である。
【００６４】
図１３は、本実施形態における対象者毎に地域資源情報を対応づけて登録する処理を説明するためのフローチャート、図１４は、本実施形態におけるクリップされた地域資源情報を表示するための処理を説明するためのフローチャートである。
【００６５】
サーバ装置１０は、クリップボタン５５Ｂが選択された場合（ステップＣ１、Ｙｅｓ）、地域資源情報の詳細画面５５に表示中の地域資源情報を関連づける対象者を判別する。例えば、サーバ装置１０は、図１５に示すように、クリップボタン５５Ｂの近傍に、地域資源情報の登録先を示す登録先一覧５５Ｅを表示させる。登録先一覧５５Ｅには、例えば自分のみ（利用者を示す）、対象者全員、登録済みの対象者１〜５（ここでは、５名の対象者が登録されていることを示す）が一覧表示されている。ここで、利用者の入力装置３３の操作により登録先一覧５５Ｅから何れかが選択された場合、サーバ装置１０は、この選択された登録先と詳細表示中の地域資源情報とを対応づけて登録する。対象者全員が選択された場合には、全ての対象者１〜５のそれぞれと対応づけて登録する。
【００６６】
図１６は、本実施形態における対象者と登録された地域資源情報（クリップデータ）との関係を示す図である。例えば、対象者１については、クリップデータ１，３，４が対応づけられ、対象者２については、クリップデータ１，４が対応づけられていることを示している。すなわち、本実施形態におけるクリップ機能では、利用者が検索した有用と判断された地域資源情報を、複数の対象者に対して個々に対応づけて登録しておくことができる。例えば、利用者がケアマネージャであり、担当する介護者（対象者）が複数いる場合に、介護者毎に有用な地域資源情報を判断して、介護者別に地域資源情報を登録しておくことができる。
【００６７】
サーバ装置１０は、利用者の操作によりクリップされた地域資源情報の表示が指示された場合に（ステップＤ１、Ｙｅｓ）、クリップデータ（クリップにより登録された地域資源情報）を一覧表示させる（ステップＤ２）。例えば、ホームページ画面５０のログインボタン５０Ｅは、ログイン後には、ログイン中の表示に変更されている。ここで、ログインボタン５０Ｅにマウスポインタなどによりフォーカスすると、例えば図１７に示すような、利用者に関係する情報を表示させるための複数のボタンを含むマイページ画像５７をポップアップ表示させる。マイページ画像５７には、例えばユーザ基本情報ボタン５７Ａ、クリップした地域情報ボタン５７Ｂ、クリップした記事ボタン５７Ｃ、地域資源のユーザ投稿ボタン５７Ｄ、及びログアウトボタン５７Ｅが設けられている。
【００６８】
ここで、何れかのボタン５７Ａ〜５７Ｄが選択された場合、サーバ装置１０は、利用者に関係するユーザ基本情報、クリップした地域情報、クリップした記事、地域資源のユーザ投稿を表示させるための、マイページ詳細画面を表示させる。
【００６９】
図１８は、本実施形態におけるマイページ詳細画面５９の一例を示す図である。図１８に示すマイページ詳細画面５９では、クリップした地域情報ボタン５７Ｂが選択された場合の表示例を示している。マイページ詳細画面５９には、表示対象を変更するための選択タグ５９Ａが設けられている。また、クリップした地域情報を表示するための画面において、対象者名表示領域５９Ｂ、地域資源情報一覧５９Ｃが設けられている。対象者名表示領域５９Ｂでは、ボタン操作により、登録先一覧５５Ｅに表示された対象者を一覧表示させて、何れかを任意に選択することができる。
【００７０】
地域資源情報一覧５９Ｃには、初期状態として、利用者と対応づけられた地域資源情報が一覧表示されている。一覧表示では、例えば情報更新日、サービス名称、サービス提供元名称、有償／無償、クリップしたユーザ数の各情報が地域資源情報ごとに対応づけて表示されている。
【００７１】
ここで、対象者名表示領域５９Ｂの操作により何れかの対象者が選択された場合（ステップＤ３、Ｙｅｓ）、サーバ装置１０は、選択された対象者と対応づけられた地域資源情報のみを一覧表示させる（ステップＤ４）。従って、利用者は、対象者毎に登録した地域資源情報を、対象者を簡単に切り替えてそれぞれ一覧表示させて確認することができる。
【００７２】
なお、前述した説明では、クリップボタン５５Ｂの操作があった場合に登録先一覧５５Ｅを表示させて、地域資源情報を対応づける対象者を選択するようにしているが、例えば検索処理をする際に、予め対象者を選択しておくようにしても良い。こり場合、その後に、検索処理によって検索した地域資源情報を表示する地域資源情報の詳細画面５５においてクリップボタン５５Ｂを選択した場合に、詳細表示中の地域資源情報を先に選択した対象者と対応づけて登録する。このように、予め対象者を選択しておくことで、例えば１人の対象者について、まとめて複数の地域資源情報を検索して登録する場合に、地域資源情報をクリップする度に対象者を選択しなくても良く、操作性を向上することができる。
【００７３】
なお、前述した説明では、地域資源情報をクリップする場合について説明しているが、第１メニュー５０Ｂの「記事コンテンツ」「セミナー」のメニュー項目を選択することで表示可能な情報についても同様にしてクリップすることができる。「記事コンテンツ」「セミナー」からクリップされた情報についても、前述した地域資源情報と同様にして対象者と対応づけて登録し、クリップした記事ボタン５７Ｃの操作により一覧表示させることが可能である。
【００７４】
また、ユーザ基本情報ボタン５７Ａを選択することで、利用者が会員登録時に入力した情報を一覧表示させることができる。ここで、登録内容を編集することができ、場所情報の変更や対象者の追加／削除をすることができる。ここで登録内容を変更することで、その後にホームページ画面５０を表示する際に、変更後の情報に基づいて絞り込まれた地域資源情報をもとにホームページ画面５０（カテゴリ検索領域５０Ｈ、地域資源マップ領域５０Ｋ）が表示される。
【００７５】
なお、前述した説明では、図７に示すホームページ画面５０のカテゴリ検索領域５０Ｈにおいてカテゴリが選択された場合には、カテゴリに含まれる地域資源情報を一覧表示するとしているが、地域資源マップ領域５０Ｋにおける表示と連携させることもできる。例えば、カテゴリ検索領域５０Ｈから何れかのカテゴリが選択された場合に、地域資源マップ領域５０Ｋの地図と一覧において、選択された仮に対応するピンマークのみを表示するようにしても良い。また、地域資源マップ領域５０Ｋにおいて、何れかのピンマークが選択された場合に、このピンマークに該当するカテゴリに含まれる地域資源情報を一覧表示させることも可能である。
【００７６】
このようにして、本実施形態では、サーバ装置１０により、図７に示すように、ログイン後には、利用者が予め指定した場所情報もとに絞り込んだ地域資源情報候補を対象として、カテゴリ検索領域５０Ｈと地域資源マップ領域５０Ｋ地域とが表示されるので、利用者は、カテゴリ別に分類された地域資源情報、あるいは地域資源情報に該当する位置にピンマークが付された地図を組み合わせて、必要に応じて検索方法を選択しながら、容易に必要とする地域資源情報を検索することが可能となる。
【００７７】
次に、会員登録された利用者によりグループツールが使用される場合の処理について説明する。「グループツール」には、「掲示板」「会合調整＆選択確認」「グループ管理」がある。  
まず、本実施形態における「グループ管理」の機能について、図１９に示すフローチャートを参照しながら説明する。  
サーバ装置１０は、「グループツール」のサブメニュー「グループ管理」が選択された場合、利用者のグループステータス一覧画面６０を表示させる（ステップＡ１）。
【００７８】
図２０は、本実施形態におけるグループステータス一覧画面６０の一例を示す図である。グループステータス一覧画面６０では、利用者が属するグルーブにおける利用者の状態（ステータス）を、例えば色別に示している。利用者が属するグループには、利用者がオーナーとなって新規に作成して他の利用者を招待したグループと、他の利用者が作成したグループに招待されて参加したグループがある。
【００７９】
例えば、図２０に示すグループＧ１は、利用者「○○次郎」がオーナーとなって作成したグループである。図２０に示すように、各グループの表示では、グループ名、グループオーナー名、グループメンバー数、グループ作成日が表示されている。
【００８０】
新規にグループを作成する場合、グループステータス一覧画面６０に設けられたグループ新規作成ボタン６０Ａが選択される。グループ新規作成ボタン６０Ａが選択されると（ステップＡ４、Ｙｅｓ）、サーバ装置１０は、グループの新規作成用の画面を表示させる（ステップＡ５）。グループの新規作成用の画面には、グループ名、グループオーナー名、メンバー名を入力するための入力欄が設けられている。なお、メンバーは、グループに招待する他の会員登録済みの利用者（既存ユーザ）であり、会員登録時に入力した名前を入力することで招待することができる。メンバーとして複数の会員を招待することができる。
【００８１】
各入力欄に入力された後、新規作成が指示されると（ステップＡ７、Ｙｅｓ）、サーバ装置１０は、新規グループを作成して、グループに招待されたメンバー（オーナーを含む）に対して通知する（ステップＡ８）。すなわち、サーバ装置１０は、各メンバーにグループ招待されたことを通知する電子メールを送信すると共に、招待された他の利用者がグループステータスを表示した際に、グループに招待されていることを表すグループステータスを表示させる。
【００８２】
図２０に示す、各グループに対して操作があった場合（ステップＡ２、Ｙｅｓ）、サーバ装置１０は、操作に応じたグループ管理処理を実行する（ステップＡ３）。例えば、利用者がオーナーである作成グループＧ１には、「詳細」「編集」「削除」のボタンが設けられている。グループＧ１の「詳細」ボタンを選択することで、グループと、グループに参加しているメンバー（他の利用者）のグループ参加（名前、ユーザ名、ログイン数、ステータスなど）に関する詳細な情報を表示させるとができる。また、「編集」ボタンを選択することで、グループの新規作成用の画面と同様の画面が表示され、メンバーの追加／削除、オーナーの変更、グループ名の変更をすることができる。「削除」ボタンを選択することで、グループを削除することができる。
【００８３】
また、図２０に示すグループＧ２は、他の利用者「□□太郎」がオーナーとするグループから招待されている状態を示している（参加前）。この場合、「詳細」「参加」「辞退」のボタンが設けられている。「参加」ボタンを選択することで、招待を受諾してグループへの参加状態となる。一方、「辞退」ボタンを選択することで、グループへの参加を拒否して、利用者を退出（グループへの不参加）状態にすることができる。
【００８４】
また、図２０に示すグループＧ３、Ｇ４は、それぞれ他の利用者「△△三郎」「□□太郎」がオーナーとするグループに参加中の状態を示している。この場合、「詳細」「退出」のボタンが設けられる。「退出」ボタンを選択することで、グループへの不参加状態となり「退出」ボタンが「参加」ボタンに変更される（退出中）。「参加」ボタンを選択することで、グループへの参加状態にすることができる。
【００８５】
次に、本実施形態におけるグループツールの「掲示板」の機能について、図２１及び図２２に示すフローチャートを参照しながら説明する。  
サーバ装置１０は、「グループツール」のサブメニュー「掲示板」が選択された場合、メンバーが属するグループの投稿データを取得し（ステップＥ１）、各投稿データに対する、グループ内の既読メンバーの確認とコメント件数の確認を実行する（ステップＥ２）。投稿データの既読については後述する。サーバ装置１０は、グループ内のメンバーが投稿した投稿データについて設定された未読／既読公開の設定に応じて、それぞれの投稿データの件名を含む掲示板一覧を表示させる（ステップＥ３）。掲示板一覧の表示の具体例については後述する（図２６参照）。
【００８６】
ここで、まず投稿データの新規作成時における未読／既読公開の設定について説明する。  
「掲示板」の機能の実行中の画面には、グループ内の利用者が使用する電子機器１４において表示させるための投稿データの新規作成を指示するための新規作成ボタン、投稿データを検索するためのキーワード入力エリア、メンバーの一覧（リスト）を表示させるためのメンバーリスト表示ボタンが設けられている。
【００８７】
新規作成ボタンが選択された場合（ステップＥ１４、Ｙｅｓ）、サーバ装置１０は、掲示板新規作成画面（投稿画面）を表示させ、この掲示板新規作成画面を通じて投稿データを入力する（ステップＥ１５）。
【００８８】
図２３は、本実施形態における掲示板新規作成画面６１の一例を示す図である。図２３は、投稿先グループとして「特許出願テスト」グループを選択して、新規作成を選択した場合の表示例を示している。図２３に示すように、掲示板新規作成画面６１には、新規作成ボタン６１Ａ、キーワード入力エリア６０Ｂ、メンバーリスト表示ボタン６１Ｃが設けられている。
【００８９】
また、掲示板新規作成画面６１には、投稿内容を示す件名と本文とを入力するための投稿内容入力領域６１Ｄ、添付ファイル指定領域６１Ｅ、添付プレビュー領域６１Ｆ、未読／既読公開設定領域６１Ｇ、メール配信設定領域６１Ｈが設けられている。また、掲示板新規作成画面６１には、投稿データの入力を中止するための戻るボタン６１Ｊと、投稿データの入力完了を指示するための書き込みボタン６１ｋが設けられている。
【００９０】
未読／既読公開設定領域６１Ｇは、掲示板新規作成画面６１において作成（あるいは編集）した投稿データについて、閲覧可能なグループ内の他の利用者が未読の状態であるか、あるいは既読の状態であるかを公開する範囲を指定するために設けられている。本実施形態では、未読／既読の公開範囲の指定を入力するために、例えば「自分のみ表示」「メンバーに公開」「非表示」の各ボタンが設けられている。利用者は、何れかのボタンを選択することができる。「自分のみ表示」ボタンが選択された場合、サーバ装置１０は、投稿データを作成した利用者が投稿データの一覧や詳細を電子機器１４において表示させる場合にのみ、投稿データの既読あるいは未読の状況を示す既読／未読情報を付加する。「メンバーに公開」ボタンが選択された場合、サーバ装置１０は、グループ内の利用者が投稿データの一覧や詳細を電子機器１４において表示させる場合にのみ既読／未読情報を付加する。「非表示」ボタンが選択された場合、サーバ装置１０は、グループ内の利用者の何れが投稿データの一覧や詳細を表示する場合であっても既読／未読情報を付加しない。
【００９１】
既読／未読情報は、例えば投稿データを作成した利用者の数（１名）をグループの利用者数から引いた数を分母、投稿データを既読の利用者の数を分子とする形式により表示する。なお、既読／未読情報の表示形態についてはこれに限定されるものではなく、既読／未読の利用者数が判別することができればどのような形態であっても良い。
【００９２】
また、図２３に示す未読／既読公開設定領域６１Ｇでは、「自分のみ表示」「メンバーに公開」「非表示」の何れかを選択するようにしているが、他の選択肢が設けられていても良い。例えば、「メンバーに公開」については、グループ内の全ての利用者を対象とするのではなく、グループ内の特定の利用者を選択できるようにしてもよい。また、既読／未読情報を公開する場合において、公開する期間（例えば日単位）や公開する時間帯（例えば時間単位）を指定できるようにしても良い。サーバ装置１０は、未読／既読公開設定領域６１Ｇを通じて入力された設定に応じて、グループ内の利用者が掲示板を閲覧する場合に既読／未読情報の表示を制御する。
【００９３】
サーバ装置１０は、書き込みボタン６１ｋの操作により投稿データの入力完了が指示されると（ステップＥ１６、Ｙｅｓ）、既読／未読公開の設定に応じて掲示板詳細画面を表示させる（ステップＥ１７）。また、サーバ装置１０は、投稿データに対する未読メンバーがいるかを判別し、未読メンバーがいる場合には（ステップＥ１８、Ｙｅｓ）、掲示板詳細画面に未読メンバーボタンを付加する（ステップＥ１９）。
【００９４】
図２４は、本実施形態における掲示板詳細画面６４の一例を示す図である。掲示板詳細画面６４には、掲示板新規作成画面６１と同様に、新規作成ボタン６４Ａ、キーワード入力エリア６４Ｂ、メンバーリスト表示ボタン６４Ｃが設けられている。また、掲示板詳細画面６４には、掲示板データを表示するための掲示板領域６４Ｄ、投稿データを一覧表示する掲示板一覧領域６４Ｍが設けられている。
【００９５】
掲示板一覧領域６４Ｍには、投稿データ毎の簡易表示領域が設けられている。簡易表示領域には、例えば投稿データの件名、作成（更新）日時、作成者、グループ名の他、未読／既読公開設定に応じて付加される既読／未読情報が表示される。図２４に示す例では、現在表示中の投稿データに対応する簡易表示領域において、既読／未読情報６４Ｎとして例えば「既読：０／２」が表示されている。この既読／未読情報６４Ｎは、投稿データの作成者を除く残りのグループメンバーの２人のうち、既読済みのメンバーが０人であることを表している。
【００９６】
一方、掲示板領域６４Ｄには、投稿データの件名、投稿した利用者名と投稿（更新）日時の他、本文の文字列データ６４Ｅが表示される。また、掲示板領域６４Ｄには、コメントを入力するためのコメント投稿領域６４Ｇの他、掲示板領域６４Ｄの表示を終了させるための閉じるボタン６４Ｈ、投稿データの編集を指示するための編集ボタン６４Ｊ、投稿データの削除を指示するための削除ボタン６４Ｋが設けられている。
【００９７】
さらに、新規に投稿データが作成された場合には、当然ながら他のメンバーが未読の状態であるため、掲示板領域６４Ｄには、未読メンバーボタン６４Ｆが付加されている。未読メンバーボタン６４Ｆでは、例えば入力装置３３の操作によりマウスポインタなどによりフォーカスすると、図２５に示すように、未読のメンバーの名前一覧６４Ｌがプルダウン表示される。
【００９８】
従って、掲示板詳細画面６４では、掲示板一覧領域６４Ｍにおける簡易表示領域に表示される既読／未読情報により既読状態のメンバーの数を簡単に把握することができ、また未読メンバーボタン６４Ｆを利用してメンバー名を表示させることで、具体的にどのメンバーが未読状態であるかを簡単に把握することができる。また、未読メンバーボタン６４Ｆによって未読のメンバーの名前一覧６４Ｌを表示させているが、メンバーの名前だけでなく、未読状態の電子機器１４に関する情報を表示させるようにしても良い。
【００９９】
なお、掲示板領域６４Ｄにおいて、コメント投稿領域６４Ｇにコメントデータ（文字列）が入力され、コメント投稿が指示された場合、サーバ装置１０は、掲示板領域６４Ｄの本文の文字列データ６４Ｅの下に、コメントデータを表示させる。また、コメントデータが入力された場合には、既読／未読情報６４Ｎと同様にして、コメント件数を示すコメント件数情報を付加する。
【０１００】
ここで、閉じるボタン６４Ｈが選択された場合（ステップＥ２０、Ｙｅｓ）、サーバ装置１０は、掲示板一覧表示の画面に切り替える（ステップＥ１〜Ｅ３）。また、編集ボタン６４Ｊが選択された場合には（ステップＥ２１、Ｙｅｓ）、サーバ装置１０は、図２３と同様の投稿データの掲示板編集画面を表示させて、利用者からの入力に応じて投稿データを編集する（後述するステップＥ１１〜Ｅ１３）。投稿データの掲示板編集画面では、本文の内容を変更できる他、未読／既読公開の設定内容を変更することもできる。また、削除ボタン６４Ｋが操作された場合には（ステップＥ２１、Ｎｏ）、サーバ装置１０は、現在表示中の投稿データを削除する（ステップＥ２２）。なお、他のボタン等に対する操作があった場合には（ステップＥ２１、Ｎｏ）、サーバ装置１０は、操作に応じた他の処理を実行する（ステップＥ２２）。
【０１０１】
また、本実施形態では、掲示板一覧表示の画面が電子機器１４において表示されることで、投稿データが既読状態となったものとする。サーバ装置１０は、電子機器１４における掲示板一覧表示の有無に応じて、未読状態であるか既読状態であるかを判別して、後述する既読／未読情報６２Ｅの表示を制御する。なお、掲示板一覧表示ではなく、投稿データの詳細を表示する掲示板詳細画面が表示された際に既読状態となったと判別するようにしても良い。
【０１０２】
次に、本実施形態における掲示板一覧の表示の具体例について説明する。図２６は、本実施形態における掲示板一覧表示画面６２の一例を示す図である。掲示板一覧表示画面６２には、掲示板新規作成画面６１と同様に、新規作成ボタン６２Ａ、キーワード入力エリア６２Ｂ、メンバーリスト表示ボタン６２Ｃが設けられている。また、掲示板一覧表示画面６２には、投稿データ一覧領域６２Ｄが設けられている。
【０１０３】
投稿データ一覧領域６２Ｄには、グループ内の各利用者が投稿した投稿データが一覧表示されており、各投稿データについて、例えば投稿データの件名、作成（更新）日時、作成者、グループ名、本文の文字列データが表示される。さらに、図２６に示す１つめの投稿データ（件名「新規作成」）については、利用者自身が投稿した投稿データであり、未読／既読公開設定が例えば「自分のみ表示」あるいは「メンバーに公開」であるため既読／未読情報６２Ｅとして「既読：０／２」が表示されている。また、図２６に示す２つめの投稿データ（件名「未表示の確認のためのメッセージ」）については、他の利用者により投稿データであり、未読／既読公開設定が例えば「自分のみ表示」であるため既読／未読情報６２Ｅが表示されていない。また、２つめの投稿データについては、何れかのグループ内のメンバー１人によりコメントが入力されたことを示すコメント件数情報６２Ｆが表示されている。なお、２つめの投稿データを投稿した利用者が投稿データを編集して、未読／既読公開設定を「メンバーに公開」に変更した場合には、それ以後に掲示板一覧表示画面６２を表示する際には、１つめの投稿データと同様にして既読／未読情報６２Ｅが付加される。
【０１０４】
サーバ装置１０は、投稿データ一覧領域６２Ｄから何れかの投稿データが選択された場合（ステップＥ４、Ｙｅｓ）、選択された投稿データについての掲示板詳細画面６４を表示させ（ステップＥ５）、この投稿データに未読メンバーがいる場合には（ステップＥ６、Ｙｅｓ）、掲示板詳細画面に未読メンバーボタンを付加する（ステップＥ７）。なお、利用者自身が投稿した投稿データが選択された場合、サーバ装置１０は、図２４に示す掲示板詳細画面６４を表示させるが、他のメンバーが投稿した投稿データが選択された場合には、編集ボタン６４Ｊ及び削除ボタン６４Ｋが表示されない。すなわち、投稿データの編集及び削除は、投稿者のみが可能であり、その他のメンバーは、閲覧のみが可能としている。また、掲示板詳細画面６４においてコメントが投稿された場合には（ステップＥ８、Ｙｅｓ）、サーバ装置１０は、コメント投稿領域６４Ｇから入力されたコメントデータを詳細表示に追加表示する（ステップＥ９）。
【０１０５】
また、前述したように、利用者自身が投稿した投稿データの掲示板詳細画面６４が表示されている場合に、編集ボタン６４Ｊの選択により編集実行が指示された場合（ステップＥ１０、Ｙｅｓ）、サーバ装置１０は、図２３と同様の投稿データの掲示板編集画面を表示させて、利用者からの入力に応じて投稿データを編集する（後述するステップＥ１１）。この掲示板編集画面には編集を取り消すための「戻る」ボタンと投稿データの更新を指示するための「更新」ボタンが設けられている。「更新」ボタンが選択された場合（ステップＥ１２、Ｙｅｓ）、サーバ装置１０は、掲示板編集画面において入力された投稿データに応じて、先に入力済みの投稿データを変更し、更新された投稿データに基づく掲示板詳細画面６４を表示させる。未読／既読公開の設定内容が変更されている場合には、掲示板詳細画面６４及び掲示板一覧表示画面６２における既読／未読情報の表示を切り替える。すなわち、既読／未読情報を公開する設定に変更された場合には、その時点における各メンバーによる既読／未読の状態に応じた既読／未読情報を付加する。
【０１０６】
このようにして、本実施形態におけるサーバ装置１０では、未読／既読公開の設定において、投稿データを投稿する利用者が既読／未読情報の公開範囲として「メンバーに公開」を設定することで、投稿データを閲覧する側（情報の受信者側）において、投稿データを閲覧可能な他のメンバーによる既読あるいは未読の状況を確認することが可能となる。また、既読／未読情報の公開範囲を任意に設定することができるので、例えば投稿データの内容によって既読／未読情報の公開範囲を変更して、既読／未読情報を他のメンバーに確認できないようにすることもできる。
【０１０７】
なお、投稿データが編集された場合、編集前の投稿データについては閲覧済みであるが、編集後の投稿データについては閲覧していないメンバーも存在しうる。従って、投稿データの編集がされた場合には、各メンバーを未読状態にリセットして、既読／未読情報を更新するようにしても良い。また、投稿データ編集された場合には、編集（更新）日を変更履歴として一覧表示できるようにして、それぞれの編集（更新）日において作成された投稿データについて、個別に既読／未読情報を付加するようにしても良い。さらに、複数回の編集（更新）がされた投稿データについて、何れかの段階の投稿データが閲覧された場合には、閲覧された投稿データ（例えば、最新の投稿データ）より以前の投稿データについては全て閲覧済み（既読状態）と判別するようにしても良い。
【０１０８】
また、前述した説明では、掲示板新規作成画面６１において入力される投稿データについて、未読／既読公開の設定に応じて既読／未読情報を表示するとしているが、投稿データに対して何れのメンバーであっても投稿可能なコメントデータについても、未読／既読公開の設定をして既読／未読情報を表示するようにしても良い。この場合、コメントデータを投稿する利用者が、未読／既読公開設定領域６１Ｇにおける設定と同様にして、既読／未読情報の公開範囲を設定する。サーバ装置１０は、既読／未読情報の公開範囲の設定に応じて、掲示板詳細画面６４の掲示板領域６４Ｄに表示されるコメントデータへの既読／未読情報の付加を制御する。これにより、任意のタイミングで投稿されるコメントについても、グループ内の各メンバーによる既読／未読の状況を把握することが可能となる。
【０１０９】
次に、本実施形態におけるグループツールの「会合調整＆選択確認」の機能について、図２７及び図２８に示すフローチャートを参照しながら説明する。「会合調整＆選択確認」の機能は、グループ内のメンバーによるコミュニケーションツールとして用いられるもので、例えば会合（会議）などのスケジュール調整やアンケート集計に使用することができる会合／選択リストをメンバーが任意に作成（投稿）することができる。
【０１１０】
サーバ装置１０は、「グループツール」のサブメニュー「会合調整＆選択確認」が選択された場合、メンバーが属するグループの会合／選択リストに関係する会合／選択データを取得し（ステップＦ１）、各会合／選択データに対する、グループ内の既読メンバーの確認とコメント件数の確認を実行する（ステップＦ２）。会合／選択データの既読については後述する。サーバ装置１０は、グループ内のメンバーが投稿した会合／選択データについて設定された未読／既読公開の設定に応じて、それぞれの会合／選択データに応じた会合／選択リスト一覧を表示させる（ステップＦ３）。会合／選択リスト一覧の表示の具体例については後述する（図３１、図３２参照）。
【０１１１】
ここで、まず会合／選択データの新規作成時における未読／既読公開の設定について説明する。  
「会合調整＆選択確認」の機能の実行中の画面には、グループ内の利用者が使用する電子機器１４において表示させるための会合／選択データの新規作成を指示するための新規作成ボタン、会合／選択データを検索するためのキーワード入力エリア、メンバーの一覧（リスト）を表示させるためのメンバーリスト表示ボタンが設けられている。
【０１１２】
新規作成ボタンが選択された場合（ステップＦ１８、Ｙｅｓ）、サーバ装置１０は、会合調整＆選択確認新規作成画面（以下、会合選択新規作成画面と称する）（投稿画面）を表示させ、この会合選択新規作成画面を通じて会合／選択データを入力する（ステップＦ１９）。
【０１１３】
図２９は、本実施形態における会合選択新規作成画面６６の一例を示す図である。図２９は、投稿先グループとして「特許出願テスト」グループを選択して、新規作成を選択した場合の表示例を示している。図２９に示すように、会合選択新規作成画面６６には、新規作成ボタン６６Ａ、キーワード入力エリア６０Ｂ、メンバーリスト表示ボタン６６Ｃが設けられている。
【０１１４】
また、会合選択新規作成画面６６には、会合／選択リストに付加する各種情報を入力するための投稿内容入力領域６６Ｄ、会合／選択リストを定義するためのリスト項目を入力するためのリスト項目領域６６Ｅ１及び調整項目を入力するための調整項目領域６６Ｅ２、未読／既読公開設定領域６６Ｆが設けられている。また、会合選択新規作成画面６６には、会合／選択データの入力を中止するための戻るボタン６６Ｇと、会合／選択データの入力完了を指示するための書き込みボタン６６Ｈが設けられている。
【０１１５】
投稿内容入力領域６６Ｄには、例えばグループ名、件名、場所、締め切り日時、本文の各情報を入力ためのエリアが設けられている。調整項目領域６６Ｅ２は、少なくとも１つの調整対象とする調整項目が入力され、リスト項目領域６６Ｅ１は、調整項目領域６６Ｅ２において入力された調整項目についての選択肢とする少なくとも１つのリスト項目が入力される。図２９に示す例では、リスト項目として４つの選択肢「準備中」「処理等」「修正中」「完了」が入力された例を示している。リスト項目領域６６Ｅ１には、追加ボタン６６Ｅｂが設けられており、追加ボタン６６Ｅｂの選択に応じて調整項目入力エリア６６Ｅａが１つずつ追加される。図２９に示す例では、４つの調整項目入力エリア６６Ｅａが設けられ、それぞれに「第１工程」「第２工程」「第３工程」「第４工程」が入力された例を示している。なお、調整項目入力エリア６６Ｅａは、それぞれ削除ボタンが設けられており、削除ボタンの選択により削除することができる。
【０１１６】
なお、未読／既読公開設定領域６６Ｆは、前述した「掲示板」の機能における未読／既読公開設定領域６１Ｇと同様にして使用されるものとして、「会合調整＆選択確認」の機能における説明を省略する。
【０１１７】
サーバ装置１０は、書き込みボタン６６Ｈの操作により会合／選択データの入力完了が指示されると（ステップＦ２０、Ｙｅｓ）、会合調整＆選択確認詳細画面（以下、会合選択詳細画面）を表示させる。また、会合選択詳細画面に対する入力操作があった場合には、サーバ装置１０は、入力操作に応じた処理を実行する（ステップＦ２１）。
【０１１８】
図３０は、本実施形態における会合選択詳細画面８０の一例を示す図である。会合選択詳細画面８０には、会合選択新規作成画面６６と同様に、新規作成ボタン８０Ａ、キーワード入力エリア８０Ｂ、メンバーリスト表示ボタン８０Ｃが設けられている。また、会合選択詳細画面８０には、会合調整＆選択確認データを表示するための会合調整＆選択確認領域８０Ｄ、会合／選択データを一覧表示する会合調整＆選択確認一覧領域８０Ｊが設けられている。
【０１１９】
会合調整＆選択確認一覧領域８０Ｊには、会合／選択データ毎の簡易表示領域が設けられている。簡易表示領域には、例えば会合／選択データの件名、作成（更新）日時、作成者、グループ名の他、未読／既読公開設定に応じて付加される既読／未読情報が表示される。図３０に示す例では、現在表示中の会合／選択データに対応する簡易表示領域において、既読／未読情報として例えば「既読：０／２」が表示されている。
【０１２０】
一方、会合調整＆選択確認領域８０Ｄには、会合／選択データの件名、投稿した利用者名と投稿（更新）日時の他、場所、締め切り日時、本文の文字列データが表示される。また、会合調整＆選択確認領域８０Ｄには、選択リスト項目一覧８０Ｅ、コメントを入力するためのコメント投稿領域８０Ｈの他、会合調整＆選択確認領域６４Ｄの表示を終了させるための閉じるボタン８０Ｋ、会合／選択データの編集を指示するための編集ボタン８０Ｍ、会合／選択データの削除を指示するための削除ボタン８０Ｎが設けられている。
【０１２１】
さらに、新規に会合／選択データが作成された場合には、当然ながら他のメンバーが未読の状態であるため、会合調整＆選択確認領域８０Ｄには、未読メンバーボタン８０Ｐが付加されている。未読メンバーボタン８０Ｐでは、例えば入力装置３３の操作によりマウスポインタなどによりフォーカスすると、「掲示板」の機能と同様に未読のメンバーの名前一覧がプルダウン表示される。
【０１２２】
会合調整＆選択確認領域８０Ｄの選択リスト項目一覧８０Ｅには、会合／選択データを投稿した利用者自身と他の利用者のそれぞれについて、各調整項目に対して選択したリスト項目が一覧表示される。リーダーに対応するリスト項目については、調整項目毎に、何れかのリスト項目を選択できるようになっている。例えば、入力装置３３の操作によりマウスポインタを入力項目に付されたボタンが選択されると、サーバ装置１０は、リスト項目一覧８０Ｇを表示させて、例えばクリック操作により何れかを選択させる。サーバ装置１０は、リスト項目一覧８０Ｇから選択されたリスト項目を選択リスト項目一覧８０Ｅに表示させる。
【０１２３】
なお、会合調整＆選択確認領域８０Ｄにおいて、コメント投稿領域８０Ｈにコメントデータ（文字列）が入力され、コメント投稿が指示された場合、サーバ装置１０は、会合調整＆選択確認領域８０Ｄの本文の文字列データの下に、コメントデータを表示させる。また、コメントデータが入力された場合には、既読／未読情報と同様にして、コメント件数を示すコメント件数情報を付加する。
【０１２４】
ここで、閉じるボタン８０Ｋが選択された場合（ステップＦ２２、Ｙｅｓ）、サーバ装置１０は、会合調整＆選択確認一覧表示の画面に切り替える（ステップＦ１〜Ｆ３）。また、編集ボタン８０Ｍが選択された場合には（ステップＦ２３、Ｙｅｓ）、サーバ装置１０は、図２３と同様の会合／選択データの会合調整＆選択確認編集画面（以下、会合選択編集画面）を表示させて、利用者からの入力に応じて会合／選択データを編集する。会合／選択データの会合選択編集画面では、投稿内容入力領域６６Ｄにおいて入力される各情報、未読／既読公開の設定内容を変更する他、会合／選択リストを定義するリスト項目及び調整項目を変更することもできる。また、削除ボタン８０Ｎが操作された場合には（ステップＦ２３、Ｎｏ）、サーバ装置１０は、現在表示中の会合／選択データを削除する（ステップＦ２４）。なお、他のボタン等に対する操作があった場合には（ステップＦ２３、Ｎｏ）、サーバ装置１０は、操作に応じた他の処理を実行する（ステップＦ２４）。
【０１２５】
次に、本実施形態における会合調整＆選択確認一覧の表示の具体例について説明する。図３１は、本実施形態における会合調整＆選択確認一覧表示画面（以下、会合選択一覧表示画面）６８の一例を示す図である。会合選択一覧表示画面６８には、会合選択新規作成画面６６と同様に、新規作成ボタン、キーワード入力エリアが設けられている。また、会合選択一覧表示画面６８には、グループ内の利用者が投稿した会合／選択データに基づいて作成される会合／選択リスト６８Ｂ，６８Ｃが表示される。なお、会合／選択リスト６８Ｂは、利用者自身（利用者「○○次郎」）が投稿した会合／選択データに基づいて作成されたもので、会合／選択リスト６８Ｃは、他の利用者（利用者「××四郎」）が投稿した会合／選択データに基づいて作成されたものである。
【０１２６】
会合／選択リスト６８Ｂには、会合／選択データの件名、作成（更新）日時、作成者、グループ名の他、既読／未読情報が付加される。また、会合／選択リスト６８Ｂには、会合／選択データにおいて設定された調整項目６８Ｂａが横方向に配列され、会合／選択データにおいて設定された複数のリスト項目のそれぞれについて選択したリスト項目の人数６８Ｂｂが縦方向に配列されている。すなわち、調整項目６８Ｂａとリスト項目の人数６８Ｂｂとによりリストが形成されている。
【０１２７】
また、利用者自身が作成した会合／選択リスト６８Ｂでは、調整項目のそれぞれに対して「確定」ボタンが設けられている。「確定」ボタンは、対応する調整項目について、グループ内の全ての利用者がリスト項目を選択できないようにするボタンである。例えば、スケジュールの調整に会合／選択リストを利用する場合に、会合／選択リストを作成した利用者が他の利用者によるリスト項目の選択状況を確認し、スケジュール調整ができた時点で確定（変更不可状態）するために使用することができる。
【０１２８】
会合／選択リスト６８Ｃには、会合／選択リスト６８Ｂと同様にして、調整項目６８Ｃａが横方向に配列され、リスト項目の人数６８Ｃｂが縦方向に配列されている。会合／選択リスト６８Ｃでは、２つの調整項目「２０１５／１１／１１」「２０１５／１１／１５」が設定され、リスト項目として「参加」「不参加」「検討中」が設定されていることを表している。また、会合／選択リスト６８Ｃでは、調整項目「２０１５／１１／１５」６８Ｃｄについて、会合／選択リスト６８Ｃを作成した利用者「××四郎」の操作により確定されたことを表す表示形態となっている。なお、その他については、会合／選択リスト６８Ｂと同じであるので説明を省略する。
【０１２９】
サーバ装置１０は、「確定」ボタンが選択された場合（ステップＦ４、Ｙｅｓ）、「確定」ボタンに代えて「確定解除」ボタンを表示させると共に、グループ内の他のメンバー（利用者）に通知する（ステップＦ５）。すなわち、サーバ装置１０は、各メンバーに確定されたことを通知する電子メールを送信すると共に、会合選択一覧表示画面を表示した際に、確定された調整項目について確定されたことを表す表示形態により表示させる。
【０１３０】
図３２は、本実施形態における会合選択一覧表示画面７０の一例を示す図である。会合選択一覧表示画面７０は、利用者「××四郎」が使用する電子機器１４において表示される画面例を示している。会合選択一覧表示画面７０に示す会合／選択リスト７０Ｂは、図３１に示す会合／選択リスト６８Ｂに対応し、会合／選択リスト６８Ｂと同じ調整項目７０Ｂａが横方向に配列され、リスト項目の人数７０Ｂｂが縦方向に配列されている。また、会合／選択リスト７０Ｃは、図３１に示す会合／選択リスト６８Ｃに対応し、会合／選択リスト６８Ｃと同じ調整項目７０Ｃａが横方向に配列され、リスト項目の人数７０Ｃｂが縦方向に配列されている。
【０１３１】
会合／選択リスト７０Ｃには、利用者「××四郎」が作成者のため、調整項目「２０１５／１１／１１」に対して「確定」ボタン７０Ｃｄが設けられている。また、調整項目「２０１５／１１／１５」については、「確定」ボタンの操作により確定されたため、「確定」ボタンに代えて「確定解除」ボタン７０Ｃｆが設けられていると共に、確定されたことを表す表示形態となっている。
【０１３２】
サーバ装置１０は、「確定解除」ボタンが選択された場合（ステップＦ６、Ｙｅｓ）、「確定解除」ボタンに代えて「確定」ボタンを表示させると共に、グループ内の他のメンバー（利用者）に通知する（ステップＦ７）。すなわち、サーバ装置１０は、各メンバーに確定解除されたことを通知する電子メールを送信すると共に、会合選択一覧表示画面を表示した際に、確定解除された調整項目について未確定の表示形態により表示させる。
【０１３３】
サーバ装置１０は、会合選択一覧表示画面から何れかの会合／選択データ（会合／選択リスト）が選択された場合（ステップＦ８、Ｙｅｓ）、選択された会合／選択データについての会合選択詳細画面を表示させ（ステップＦ９）、この会合／選択データに未読メンバーがいる場合には会合選択詳細画面に未読メンバーボタンを付加する。なお、利用者自身が投稿した会合／選択データ、例えば、図３１に示す会合／選択リスト６８Ｂが選択された場合、サーバ装置１０は、図３０に示す会合選択詳細画面８０を表示させる。
【０１３４】
会合選択詳細画面８０では、選択リスト項目一覧８０Ｅにおいて、各調整項目についてリスト項目を選択可能な状態となっている。リスト項目が選択されると（ステップＦ１０、Ｙｅｓ）、前述したようにリスト項目一覧８０Ｇを表示させて、何れかのリスト項目を選択させる（ステップＦ１１）。また、コメント投稿領域８０Ｈにコメントデータ（文字列）が入力され、コメント投稿が指示された場合（ステップＦ１２、Ｙｅｓ）、サーバ装置１０は、会合調整＆選択確認領域８０Ｄの本文の文字列データの下に、コメントデータを表示させる（ステップＦ１３）。
【０１３５】
なお、他の利用者が投稿した会合／選択データ、例えば、図３１に示す会合／選択リスト６８Ｃが選択された場合、サーバ装置１０は、図３３に示す会合選択詳細画面８２を表示させる。会合選択詳細画面８２では、グループ内の各利用者による各調整項目について選択したリスト項目が表示される。
【０１３６】
また、会合選択詳細画面８２を閲覧している利用者については、前述と同様にして、リスト項目一覧（参加、不参加、検討中）を表示させて、何れかを任意に選択させることができる（ステップＦ１０，Ｆ１１）。ただし、図３３に示す例では、調整項目「２０１５／１／１５」が確定状態となっているためリスト項目の再設定をすることができず、調整項目「２０１５／１／１５」についてのみ設定可能である。
【０１３７】
なお、他の利用者が投稿した会合／選択データが選択された場合には、会合／選択データの編集及び削除ができないようにするため、「編集」ボタンと「削除」ボタンは表示されない。また、会合選択詳細画面８２においてコメントが投稿された場合には、サーバ装置１０は、コメント投稿領域８２Ｆから入力されたコメントデータを詳細表示に追加表示する（ステップＦ１２，Ｆ１３）。
【０１３８】
また、前述したように、利用者自身が投稿した会合／選択データの会合選択詳細画面８０が表示されている場合に、編集ボタン８０Ｍの選択により編集実行が指示された場合（ステップＦ１４、Ｙｅｓ）、サーバ装置１０は、図２９と同様の会合／選択データの会合選択編集画面を表示させて、利用者からの入力に応じて会合／選択データを編集する（ステップＦ１５）。この会合選択編集画面には編集を取り消すための「戻る」ボタンと会合／選択データの更新を指示するための「更新」ボタンが設けられている。「更新」ボタンが選択された場合（ステップＦ１６、Ｙｅｓ）、サーバ装置１０は、会合選択編集画面において入力された会合／選択データに応じて、先に入力済みの会合／選択データを変更し、更新された会合／選択データに基づく会合選択詳細画面８０を表示させる（ステップＦ１７）。以下、前述したように処理が実行される。
【０１３９】
このようにして、本実施形態におけるサーバ装置１０では、図３１及び図３２に示す会合選択一覧表示画面６８，７０に示すように、各利用者が投稿した会合／選択データに基づいて作成された会合／選択リストにおいて、それぞれの利用者により選択されたリスト項目の集計結果（各リスト項目を選択した人数）が表示される。すなわち、それぞれの調整項目についての入力項目の選択状況を簡単に把握することが可能である。また、会合選択一覧表示画面６８，７０から何れかの会合／選択データ（会合／選択リスト）を選択することで、例えば図３３に示す会合選択詳細画面８２を表示させることができる。会合選択詳細画面８２では、グループ内の各利用者による各調整項目について選択したリスト項目が表示される。従って、本実施形態における「会合調整＆選択確認」の機能では、グループ内の各利用者が会合選択一覧表示画面と会合選択詳細画面を参照することで、グループ内の各利用者の登録状況を確認しながら会合（会議）などのスケジュール調整や、アンケート集計の状況を把握することが可能となる。
【０１４０】
なお、前述した説明では、介護関連の情報を扱うシステムの例を説明しているが、その他の情報を扱うシステムに適用することも可能である。また、前述した説明では、サーバ装置１０による処理として説明しているが、電子機器１４の処理によって実現することも可能である。この場合、電子機器１４のプロセッサ３０は、前述した検索プログラムと同様のアプリケーションプログラムを実行し、サーバ装置１０から必要な処理に必要なデータを受信することで、前述したサーバ装置１０と同等の機能を実現する。また、前述した説明では、１台のサーバ装置１０により情報検索サービスを提供するとしているが、複数台のサーバ装置が協同して情報検索サービスを提供するようにしても良い。
【０１４１】
また、実施形態において記載した手法、すなわち各フローチャートに示す処理等の各手法は、コンピュータに実行させることができるプログラムとして、メモリカード（ＲＯＭカード、ＲＡＭカード等）、磁気ディスク（フレキシブルディスク、ハードディスク等）、光ディスク（ＣＤ−ＲＯＭ、ＤＶＤ等）、半導体メモリ等の記録媒体に格納して配布することができる。そして、コンピュータは、外部記録媒体に記録されたプログラムを読み込み、このプログラムによって動作が制御されることにより、実施形態において説明した機能と同様の処理を実現することができる。
【０１４２】
また、各手法を実現するためのプログラムのデータは、プログラムコードの形態としてネットワーク（インターネット）上を伝送させることができ、このネットワーク（インターネット）に接続されたコンピュータ（サーバ装置等）からプログラムデータを取り込み、前述した実施形態と同様の機能を実現することもできる。
【０１４３】
なお、本願発明は、実施形態に限定されるものではなく、実施段階ではその要旨を逸脱しない範囲で種々に変形することが可能である。さらに、実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１４４】
以下に、本願出願の当初の特許請求の範囲に記載された発明を付記する。  
［１］複数の電子機器の何れか１つから、少なくとも１つの調整対象とする調整項目と、前記調整項目についての選択肢とする少なくとも１つのリスト項目の指定を入力する入力手段と、
前記複数の電子機器において、前記調整項目について前記リスト項目を選択させるための入力画面を表示させる第１表示手段と、
前記複数の電子機器において、前記入力画面を通じて入力された前記調整項目についての集計結果を示す一覧画面を表示させる第２表示手段とを有する情報処理装置。
【０１４５】
［２］前記第１表示手段は、前記入力画面において、他の電子機器において選択された前記リスト項目を表示させる請求項１記載の情報処理装置。
【０１４６】
［３］前記第２表示手段は、前記調整項目毎に、前記リスト項目毎の選択数を集計した一覧画面を表示させる請求項１記載の情報処理装置。
【０１４７】
［４］前記第２表示手段は、前記入力手段により前記調整項目と前記リスト項目の指定を入力した電子機器に対して、前記入力画面における選択終了を指示するためのボタンを前記一覧画面の調整項目と対応づけて表示させ、
前記第１表示手段は、前記ボタンを通じて前記入力画面における選択終了が指示された場合に、前記ボタンに対応する調整項目が確定されたことを表す表示形態に変更する請求項１記載の情報処理装置。
【０１４８】
［５］前記情報処理装置とネットワークを介して通信接続される電子機器であって、
前記情報処理装置に対して情報を送信し、受信する請求項１乃至４の何れかに記載の電子機器。
【０１４９】
［６］コンピュータを、
複数の電子機器の何れか１つから、少なくとも１つの調整対象とする調整項目と、前記調整項目についての選択肢とする少なくとも１つのリスト項目の指定を入力する入力手段と、
前記複数の電子機器において、前記調整項目について前記リスト項目を選択させるための入力画面を表示させる第１表示手段と、
前記複数の電子機器において、前記入力画面を通じて入力された前記調整項目についての集計結果を示す一覧画面を表示させる第２表示手段として機能させるためのプログラム。
【符号の説明】
【０１５０】
１０，１２…サーバ装置、１４…電子機器、１６…ネットワーク、２０，３０…プロセッサ、２１，３２…メモリ、２２，３２…記憶装置、２３，３３…入力装置、２４，３４…表示装置。
【図１】
0006344365.tif 000002
【図２】
0006344365.tif 000003
【図３】
0006344365.tif 000004
【図４】
0006344365.tif 000005
【図５】
0006344365.tif 000006
【図６】
0006344365.tif 000007
【図７】
0006344365.tif 000008
【図８】
0006344365.tif 000009
【図９】
0006344365.tif 000010
【図１０】
0006344365.tif 000011
【図１１】
0006344365.tif 000012
【図１２】
0006344365.tif 000013
【図１３】
0006344365.tif 000014
【図１４】
0006344365.tif 000015
【図１５】
0006344365.tif 000016
【図１６】
0006344365.tif 000017
【図１７】
0006344365.tif 000018
【図１８】
0006344365.tif 000019
【図１９】
0006344365.tif 000020
【図２０】
0006344365.tif 000021
【図２１】
0006344365.tif 000022
【図２２】
0006344365.tif 000023
【図２３】
0006344365.tif 000024
【図２４】
0006344365.tif 000025
【図２５】
0006344365.tif 000026
【図２６】
0006344365.tif 000027
【図２７】
0006344365.tif 000028
【図２８】
0006344365.tif 000029
【図２９】
0006344365.tif 000030
【図３０】
0006344365.tif 000031
【図３１】
0006344365.tif 000032
【図３２】
0006344365.tif 000033
【図３３】
0006344365.tif 000034